(57)【要約】【課題】  クロージャ内に収納されている多数の加入者光ファイバの中から、保守作業員が特定の加入者光ファィバを簡単且つ確実に探索することができるようにすること。【解決手段】  クロージャ３に収納された多数の加入者光ファイバ１のそれぞれの端部には、加入者固有の識別情報を格納したランプ付ＩＣタグ１０が装着されている。ランプ付ＩＣタグ１０は、制御部１１、変調部１２、アンテナ１３、復調部１４、記憶部１５及び電源生成部１６とからなる無線ＩＣタグ部に、駆動部１７とランプ１８とからなる報知装置を含んで構成されている。前記報知装置の駆動電力は、保守作業員が携帯している携帯型無線ＩＣタグリーダーから無線で供給される。【選択図】  図1
2005315980.tif 000002
【特許請求の範囲】
【請求項１】
クロージャに収納された多数の加入者光ファイバのそれぞれの端部に加入者固有の識別情報を格納した無線ＩＣタグを取付け、携帯型無線ＩＣタグリーダーで前記無線ＩＣタグにアクセスして特定の加入者光ファイバを探索するようにした光配線探索システムであって、前記無線ＩＣタグには当該光ファイバが探索の対象であることを報知する報知部が備えられていることを特徴とする光配線探索システム。
【請求項２】
クロージャに収納された多数の加入者光ファイバのそれぞれの端部に加入者固有の識別情報を格納した無線ＩＣタグを取付け、且つ、加入者宅側の光ファイバの端部に当該加入者固有の識別情報を格納した加入者宅側無線ＩＣタグを取付け、携帯型無線ＩＣタグリーダーで前記加入者宅側無線ＩＣタグにアクセスして検索すべき光ファイバの識別情報を取得し、その後に前記携帯型無線ＩＣタグリーダーで前記無線ＩＣタグにアクセスして特定の加入者光ファイバを探索するようにした光配線探索システムであって、前記無線ＩＣタグには当該光ファイバが探索の対象であることを報知する報知部が備えられていることを特徴とする光配線探索システム。
【請求項３】
前記報知部の駆動電力は前記携帯型無線ＩＣタグリーダーから前記無線ＩＣタグに無線で供給されて生成された電源を利用するものであることを特徴とする請求項１又は２の光配線探索システム。
【請求項４】
前記報知部は可視光発生手段であることを特徴とする請求項１〜３のいずれかの光配線探索システム。
【請求項５】
前記報知部は音響発生手段であることを特徴とする請求項１〜３のいずれかの光配線探索システム。
【請求項６】
前記報知部は振動発生手段であることを特徴とする請求項１〜３のいずれかの光配線探索システム。
【発明の詳細な説明】
【技術分野】
【０００１】
本発明は、集合光ファィバを加入者線に分岐させるクロージャと呼ばれる配線函において、特定の加入者の光ファィバを探索する光配線探索システムに関する。
【背景技術】
【０００２】
近年、各種の光回線サービスが急増しており、それに伴って光回線故障の発生も増加している。故障発生時には、加入者からの申告を受け、保守作業員により当該加入者線とクロージャとの間の回線試験を行う。クロージャ内は加入者線である多数の光ファイバが収容されており、各光ファイバには荷札が装着されている。この荷札には、ファイバを識別するための識別用文字情報が記入または印刷されている。
【０００３】
保守作業員は荷札と配線図から当該加入者の光ファイバの検索を行っているが、荷札の識別用文字情報の読み間違いなどのミスが発生したり、荷札の識別用文字情報が最新の情報に更新されていなかったり、或いは、荷札そのものが多数のファイバ内に埋もれてしまい識別用文字情報を読めなかったりして、当該加入者のファイバを正確に特定できないという問題が発生している。つまり、クロージャ内のファイバ毎に荷札を装着しても、保守作業は決してスムーズに行われていないという問題がある。
【０００４】
ところで、特開２００３−２８４２１３号公報には、無線ＩＣタグを利用した光ファイバ心線の接続・分岐作業管理システムが開示されている。このシステムにおいて、光ファイバ網の接続・分岐点に設置されている多数のクロージャには、それぞれ固有の識別情報を格納した無線ＩＣタグが装着されている。クロージャは所定間隔をおいて設置されているから、保守作業員は探索の対象と考えられるクロージャの設置場所に移動し、そこで当該クロージャに装着された無線ＩＣタグに無線ＩＣタグリーダーである管理装置によってアクセスする。そして、無線ＩＣタグと管理装置との通信が成立したら、その無線ＩＣタグが装着されたクロージャは探索の対象であり、不成立なら探索の対象ではないということを、前記管理装置の表示画面で認識できるようにしたシステムである。このシステムが成立するのは、隣接するクロージャが無線ＩＣタグリーダーである管理装置からの電波が同時に到達することができない程に、十分に離間して設置されているからである。
【０００５】
しかしながら、クロージャ内に密集して収納されている多数本の光ファイバに無線ＩＣタグを装着しても、探索している光ファイバを検索することが出来ない。無線ＩＣタグリーダーである管理装置から発信された電波は、クロージャ内の全ての無線ＩＣタグに同時に到達するからである。
【０００６】
【特許文献１】特開２００３−２８４２１３号公報
【発明の開示】
【発明が解決しようとする課題】
【０００７】
本発明が解決しようとする課題は、クロージャに収納されている多数の加入者線である光ファイバの中から、保守作業員が特定の加入者の光ファィバを簡単且つ確実に探索することができるようにすることである。
【課題を解決するための手段】
【０００８】
上述の課題を解決するために、クロージャに収納された多数の光ファイバのそれぞれの端部に加入者固有の識別情報を格納したクロージャ側無線ＩＣタグを装着し、且つ、前記クロージャに前記クロージャ側無線ＩＣタグのそれぞれに協調して動作する報知装置を備えた。
【発明の効果】
【０００９】
本発明によれば、保守作業員は携帯型無線ＩＣタグリーダーを操作して、クロージャに収納されている多数の光ファイバのそれぞれに取付けられている無線ＩＣタグにアクセスすると、無線ＩＣタグに備えられている報知部が探索の対象であることを報知してくれるので、多数の光ファイバの中から探索すべき光ファイバを簡単且つ確実に探索できるようになった。従って、保守作業員の作業ミスを防止することができ、同時に作業性が向上した。
【発明を実施するための最良の形態】
【００１０】
本発明に係る光配線探索システムは、クロージャに収納された多数の加入者光ファイバのそれぞれの端部に加入者固有の識別情報を格納した無線ＩＣタグを取付け、携帯型無線ＩＣタグリーダーで前記無線ＩＣタグにアクセスして特定の加入者線である光ファイバを探索するようにした光配線探索システムであって、前記無線ＩＣタグには当該光ファイバが探索の対象であることを報知する報知部が備えられていることを特徴とするものである。
【実施例１】
【００１１】
本発明の実施例１の光配線探索システムは、探索の対象であることを報知する報知部が可視光発生手段としてのランプである無線ＩＣタグと、携帯型無線ＩＣタグリーダーとで構成されている。
【００１２】
探索の対象であることを報知する報知部が可視光発生手段としてのランプである無線ＩＣタグ、即ちランプ付無線ＩＣタグ１０は、図１に示す通り、無線ＩＣタグ部と報知部とで構成されている。前記無線ＩＣタグ部は、市販の無線ＩＣタグと同じく、マイクロプロセッサの如き制御部１１、変調部１２、アンテナ１３、復調部１４、記憶部１５、及び電源生成部１６とで構成されている。前記報知部は、可視光発生手段を利用したもので、ＬＥＤなどの小電力駆動型ランプ１８と、その駆動回路１７とで構成されている。
【００１３】
ランプ付無線ＩＣタグ１０は、図３に示す如く、クロージャ３内に配置されている。即ち、クロージャ３は集合光ファイバ２から多数の加入者光ファイバ１に分岐する配線函であるが、ランプ付無線ＩＣタグ１０は加入者光ファイバ１のそれぞれの端部に取付けられている。加入者光ファイバ１へのランプ付無線ＩＣタグ１０の取付けは、例えば荷札の取付けと同様の方法で行われている。
【００１４】
保守作業員が操作する携帯型無線ＩＣタグリーダーは、図２に示す通り、マイクロプロセッサの如き制御部２１、変調部２２、アンテナ２３、復調部２４、記憶部２５、電源部２６、表示部２７、入力部２８、及び通信ＩＦ部２９とで構成されている。通信ＩＦ部２９は、例えば加入者宅側にいる他の保守作業員が携帯している他の携帯型無線ＩＣタグリーダーとの通信に用いられるものである。
【００１５】
次に、本発明に係る光配線探索システムにおいて、対象の加入者光ファイバの探索の流れを以下に説明する。
【００１６】
本発明に係る光配線探索システムを用いた第１の探索方法は、探索対象の光ファイバの識別番号、即ち該当ＩＤを保守作業員が携帯型無線ＩＣタグリーダーに直接入力する方法である。即ち、図４のフローチャートに示す如く、保守作業員はキーボードなどの入力部２８を操作して該当ＩＤを制御部２１に入力する（１０１）。該当ＩＤは直接入力するか、或いは記憶部２５に記憶されている該当ＩＤを読み出して行う。
【００１７】
続いて、変調部２２は該当ＩＤで搬送波を変調して探索信号を生成し（１０２）、アンテナ２３から前記探索信号を送出する（１０３）。前記探索信号の送出は、特定のクロージャ３内の全ての無線ＩＣタグ１０に対して行われる。
【００１８】
制御部２１は、無線ＩＣタグ１０から応答の有無を監視しており（１０４）、無線ＩＣタグ１０から応答があったと判断した場合には、探索信号の送出を停止する（１０５）。無線ＩＣタグ１０から応答があったと判断した場合、後述する如く、携帯型無線ＩＣタグリーダーとの間に通信が確立した無線ＩＣタグ１０は、そのランプを点滅表示させるから、携帯型無線ＩＣタグリーダーを操作している保守作業員は、探索の対象である加入者光ファイバ１を簡単且つ確実に特定することができる。
【００１９】
ステップ１０４で、無線ＩＣタグ１０から応答がない場合、制御部２１は応答なしが３回か否かを判断し（１０６）、ＮＯならば、再送処理を行う（１０７）。ステップ１０６での判断がＹＥＳならば、制御部２１は探索信号の送出を停止する（１０５）。
【００２０】
携帯型無線ＩＣタグリーダーからの探索信号を受信した無線ＩＣタグ１０の動作は、図６のフローチャートに示す如くである。即ち、無線ＩＣタグ１０は、携帯型無線ＩＣタグリーダーから送出された高周波電波を受信し、電源生成部１６で電源を生成し、各制御部１１などへ電力を供給する。無線ＩＣタグ１０はアンテナ１３を介して受信した探索信号を復調部１４で復調し、制御部１１に入力する。制御部１１は、受信した探索信号の中に、記憶部１５に記憶されている自ＩＤが含まれているか否かを判断する（３０１）。ステップ３０１で自ＩＤが含まれていると判断したときは、制御部１１は応答信号を生成し、変調部１２に与える。変調部１２は、前記応答信号で搬送波を変調し、アンテナ１３から送出する（３０２）。続いて、制御部１１は駆動部１７を制御してランプ１８を点灯させる（３０３）。従って、保守作業員は、ランプ１８が点灯している無線ＩＣタグ１０を簡単且つ確実に特定できる。そして、特定された無線ＩＣタグ１０が取付けられている加入者光ファイバ１を簡単且つ確実に特定できる。
【００２１】
ステップ３０３に続いて、制御部１１は、ランプの点灯が指定時間を経過したか否かを判断し（３０４）、ＹＥＳならばランプを消灯させる（３０５）。ステップ３０３で、判断結果がＮＯならば、指定時間を経過するまで、ランプの点灯を継続させる。この指定時間、即ちランプ点灯を継続する時間は、探索対象の加入者光ファイバ１の特定に必要な時間であるから、短時間で十分である。
【００２２】
上述の探索対象の光ファイバの識別番号、即ち該当ＩＤを保守作業員が携帯型無線ＩＣタグリーダーに直接入力するのではなく、加入者宅側の光ファイバ１の端部に当該加入者固有の識別情報を格納した加入者宅側無線ＩＣタグ１０を取付け、携帯型無線ＩＣタグリーダーで前記加入者宅側無線ＩＣタグ１０にアクセスして検索すべき光ファイバの識別情報を取得する方法もある。このようにして取得した検索すべき光ファイバの識別情報、即ち該当ＩＤに基づいて探索対象の加入者光ファイバ１を特定する携帯型無線ＩＣタグリーダーの動作の流れは、図４のステップ１０２以下の通りである。そして、これに対応する無線ＩＣタグ１０の動作の流れは、図６の通りである。
【００２３】
なお、本発明に係る光配線探索システムによれば、無線ＩＣタグ１０の記憶部１５に記憶されている情報を携帯型無線ＩＣタグリーダーから書き換えることもできる。また、図５及び図７に示すフローチャートに示す如く、無線ＩＣタグ１０の記憶部１５に記憶されている保守・点検に必要な最新の情報を携帯型無線ＩＣタグリーダーから、取得することもできる。
【００２４】
即ち、保守作業員は、携帯型無線ＩＣタグリーダーから、特定の無線ＩＣタグに収集信号を送出する（２０１）。制御部２１は、無線ＩＣタグ１０から応答の有無を監視しており（２０２）、無線ＩＣタグ１０から応答があったと判断した場合には、無線ＩＣタグ１０から受信したＩＤ情報を記憶部２５に記憶する（２０３）。ステップ２０３で、無線ＩＣタグ１０から応答がない場合、制御部２１は応答なしが３回か否かを判断し（２０４）、ＮＯならば、再送処理を行う（２０６）。ステップ２０４での判断がＹＥＳならば、制御部２１は表示部２７にエラー表示を行い、記憶部２５にエラー情報を記憶する（２０５）。
【００２５】
上述の図５の携帯型無線ＩＣタグリーダーの動作に対応して、無線ＩＣタグ１０は図７に示す如く動作する。即ち、無線ＩＣタグ１０は、携帯型無線ＩＣタグリーダーから送出された高周波電波を受信し、電源生成部１６で電源を生成し、各制御部１１などへ電力を供給する。無線ＩＣタグ１０はアンテナ１３を介して受信した収集信号を復調部１４で復調し、制御部１１に入力する。制御部１１は、受信した収集信号の中に、記憶部１５に記憶されている自ＩＤが含まれているか否かを判断する（４０１）。ステップ４０１で自ＩＤが含まれていると判断したときは、制御部１１は応答信号を生成し、変調部１２に与える。変調部１２は、前記応答信号で搬送波を変調し、アンテナ１３から送出する（４０２）。前記応答信号には、記憶部１５に記憶されている保守・点検に必要な最新の情報が含まれる。
【００２６】
以上、無線ＩＣタグ１０に備えられている報知部として可視光発生手段であるランプを利用した実施例を説明したが、前記報知部は音響発生手段や振動発生手段ででも実現することが可能である。
【図面の簡単な説明】
【００２７】
【図１】本発明の実施例１の光配線探索システムのランプ付ＩＣタグのブロック構成図である。
【図２】本発明の実施例１の光配線探索システムのＩＣタグリーダーのブロック構成図である。
【図３】ランプ付ＩＣタグを装着した加入者光ファイバを収納したクロージャの模式図である。
【図４】ＩＣタグリーダーの動作の一例を示すフローチャートである。
【図５】ＩＣタグリーダーの動作の他の一例を示すフローチャートである。
【図６】ランプ付ＩＣタグの動作の一例を示すフローチャートである。
【図７】ランプ付ＩＣタグの動作の他の一例を示すフローチャートである。
【符号の説明】
【００２８】
１  加入者光ファイバ
２  集合光ファイバ
３  クロージャ
１０  ランプ付ＩＣタグ
１１  制御部
１２  変調部
１３  アンテナ
１４  復調部
１５  記憶部
１６  電源生成部
１７  駆動部
１８  ランプ
２１  制御部
２２  変調部
２３  アンテナ
２４  復調部
２５  記憶部
２６  電源部
２７  表示部
２８  入力部
２９  通信ＩＦ部
【図１】
2005315980.tif 000003
【図２】
2005315980.tif 000004
【図３】
2005315980.tif 000005
【図４】
2005315980.tif 000006
【図５】
2005315980.tif 000007
【図６】
2005315980.tif 000008
【図７】
2005315980.tif 000009